(57)【要約】【課題】カウンタケースの小型化を図っても簡素な形状で効率良く放熱できるようにする。【解決手段】カウンタケース４は、モータによりスプールを回転駆動する電動リールのカウンタケース４であり、ケース部材１９と、回路基板２０と、蓋部材２１と、窓部材２２と、を備える。ケース部材は、リール本体に固定され下面に下面全体が開口する第１開口２４ａを有し、上面に第２開口２４ｄを有する部材である。回路基板は、ケース部材の内部に配置されモータを駆動する駆動素子、第２開口に臨む液晶表示装置３０及びそれらを制御する制御素子３２が配置された基板である。蓋部材は、ケース部材の第１開口を閉塞しかつ上方に曲がる第１湾曲部２１ａを有し、第１湾曲部２１ａに駆動素子３１が近接して配置された金属板製の部材である。窓部材は、第２開口に配置され液晶表示装置の上方を覆う透明の部材である。【選択図】図４
2010263837.tif 000002
【特許請求の範囲】
【請求項１】
リール本体に固定されたモータによりスプールを回転駆動する電動リールのカウンタケースであって、
内部に設けられた収納空間と、下面に形成された第１開口と、上面に形成された表示用の第２開口と、を有し、前記リール本体に固定可能なケース部材と、
前記ケース部材の前記収納空間に配置され前記モータを駆動する駆動素子、前記第２開口に臨む表示装置及びそれらを制御する制御素子が配置された回路基板と、
前記第１開口を閉塞しかつ上方に曲がる少なくとも一つの湾曲部を有し、前記湾曲部に少なくとも前記駆動素子が近接して配置された金属製の板状の蓋部材と、
前記第２開口に配置され前記液晶表示装置の上方を覆う少なくとも一部が透明の窓部材と、
を備えた電動リールのカウンタケース。
【請求項２】
前記第１開口の周囲に塗布された接着剤により前記蓋部材は前記ケース部材に固定される、請求項１に記載の電動リールのカウンタケース。
【請求項３】
前記第２開口の周囲に付着された両面テープにより前記窓部材は前記ケース部材に固定されている、請求項１又は２に記載の電動リールのカウンタケース。
【発明の詳細な説明】
【技術分野】
【０００１】
本発明は、カウンタケース、特に、リール本体に固定されたモータによりスプールを回転駆動する電動リールのカウンタケースに関する。
【背景技術】
【０００２】
船釣り用に開発された電動リールには、カウンタケースと呼ばれる水深表示を行うためのケースが搭載されている。カウンタケースには、魚が群れている棚と呼ばれる領域の水深を設定するなどの各種の設定のためのスイッチ及び液晶表示装置やモータの駆動素子などを含む電気部品と、電気部品を接続するための回路基板とが収納されている。
【０００３】
カウンタケースの表面には、液晶表示装置を視認するための表示開口及びスイッチを外部に露出するためのスイッチ開口が形成されている。表示開口は透明の窓部材により封止されている。スイッチ開口は、スイッチにより封止されている。また、カウンタケースの裏面は大きく開口しており、その部分は、たとえば、金属製の蓋部材により封止されている（たとえば、特許文献１参照）。
【０００４】
カウンタケースの内部にモータの駆動素子を配置すると、駆動素子が発熱する。このため、従来は、蓋部材をアルミニウム合金製にするとともに、蓋部材に駆動素子を収納可能な直方体形状の空間を形成している。
【先行技術文献】
【特許文献】
【０００５】
【特許文献１】特開２００１−１４８９７９号公報
【発明の概要】
【発明が解決しようとする課題】
【０００６】
前記従来のカウンタケースでは、カウンタケースをリール本体に取り付けるための、あるいはセンサ部を覆う樹脂製カバーを取り付けるためのネジ部を蓋部材に設けており、複雑な形状をアルミダイカストや鍛造で成形している。このため、蓋部材にある程度の肉厚が必要でカウンタケースを小型化しにくい。また、厚肉部に熱が滞留するため、効率よく放熱できない。さらに、材料が限定されるため、放熱性の良い材料を自由に選択できない。
【０００７】
本発明の課題は、カウンタケースの小型化を図っても簡素な形状で効率良く放熱できるようにすることにある。
【課題を解決するための手段】
【０００８】
発明１に係る電動リールのカウンタケースは、リール本体に固定されたモータによりスプールを回転駆動する電動リールのカウンタケースであって、ケース部材と、回路基板と、蓋部材と、窓部材と、を備えている。ケース部材は、内部に設けられた収納空間と、下面に形成された第１開口と、上面に形成された表示用の第２開口と、を有し、リール本体に固定可能な部材である。回路基板は、ケース部材の内部に配置されモータを駆動する駆動素子、第２開口に臨む液晶表示装置及びそれらを制御する制御素子が配置された基板である。蓋部材は、ケース部材の第１開口を閉塞しかつプレス加工により上方に曲げられた少なくとも一つの湾曲部を有し、湾曲部に少なくとも駆動素子が近接して配置された金属製の薄板状の部材である。窓部材は、第２開口に配置され液晶表示装置の上方を覆う少なくとも一部が透明の部材である。
【０００９】
このカウンタケースでは、ケース部材の下面に開口する第１開口を金属製の薄板状の蓋部材で覆うとともに、蓋部材に上方に曲げられた湾曲部を設け、その湾曲部に発熱しやすい駆動素子を近接して配置している。
【００１０】
ここでは、下面に開口する第１開口を塞ぐ薄板状の蓋部材全体が放熱部材の機能を果たすとともに、蓋部材に少なくとも一つの湾曲部を設けて蓋部材の表面積を大きくしている。そして、その湾曲部に近接して駆動素子を配置して熱を伝達しやすくしている。このため、放熱機能を果たす部分の表面積が大きくなり熱が効率よく伝達される。また、蓋部材が薄板状であるので熱が滞留しにくく、また放熱性の良い材料を選択することができる。
【００１１】
発明２に係る電動リールのカウンタケースは、発明１に記載のケースにおいて、第１開口の周囲に塗布された接着剤により蓋部材はケース部材に固定される。この場合には、金属製の蓋部材を接着剤により固定しているので、ケース部材の防水と蓋部材の固定とを容易に実施できる。
【００１２】
発明３に係る電動リールのカウンタケースは、発明１又は２に記載のケースにおいて、第２開口の周囲に付着された両面テープにより窓部材はケース部材に固定されている。この場合には、両面テープにより窓部材をケース部材に固定しているので、外部から見える窓部材の意匠を損なうことなく窓部材を防水しつつ固定することができる。
【発明の効果】
【００１３】
本発明によれば、下面に開口する第１開口を塞ぐ薄板状の蓋部材全体が放熱部材の機能を果たすとともに、蓋部材に少なくとも一つの湾曲部を設けて蓋部材の表面積を大きくしている。そして、その湾曲部に近接して駆動素子を配置して熱を伝達しやすくしている。このため、放熱機能を果たす部分の表面積が大きくなり熱が効率よく伝達される。また、蓋部材が薄板状であるので熱が滞留しにくく、また放熱性の良い材料を選択することができる。
【図面の簡単な説明】
【００１４】
【図１】本発明の一実施形態が採用された電動リールの斜視図。
【図２】電動リールの中心部分で切断した縦断面図。
【図３】カウンタケースの分解斜視図。
【図４】その側面断面図。
【図５】その正面断面図
【発明を実施するための形態】
【００１５】
＜電動リールの全体構成＞
図１及び図２において、本発明の一実施形態を採用した電動リールは、外部電源から供給された電力により駆動されるとともに、手巻きリールとして使用するときの電源を内部に有するリールである。また、電動リールは糸繰り出し長さ又は糸巻取長さに応じて仕掛けの水深を表示する水深表示機能を有するリールである。
【００１６】
電動リールは、釣り竿に装着可能なリール本体１と、リール本体１の側方に配置されたスプール１０の回転用のハンドル２と、ハンドル２のリール本体１側に配置されたドラグ調整用のスタードラグ３と、本発明の一実施形態による水深表示用のカウンタケース４と、を主に備えている。
【００１７】
リール本体１は、左右１対の側板７ａ及び側板７ｂとそれらを下部及び前部で連結する第１連結部材７ｃ及び第２連結部材７ｄ（図２）とからなるフレーム７と、フレーム７の左右を覆う左右の側カバー８ａ及び側カバー８ｂと、フレーム７の前部を覆う前カバー９とを有している。
【００１８】
ハンドル２側の側カバー８ｂには、ハンドル２の回転軸が回転自在に支持されている。また、ハンドル２の支持部分の上方には、モータ１２を複数段階に制御するための調整レバー５が揺動自在に支持されている。ハンドル２と逆側の側カバー８ａの下面には、電源ケーブル接続用の図示しないコネクタが下向きに装着されている。下部の第１連結部材７ｃには、釣り竿に装着するための竿取付脚部１４が一体形成されている。前部の第２連結部材７ｄは、スプール１０の前方に筒状に形成されており、内部にスプール１０を駆動するモータ１２が固定されている。前カバー９には、釣り糸通過用の横長の開口９ａ（図２）が形成されている。
【００１９】
リール本体１の内部には、モータ１２及びハンドル２に連結されたスプール１０が回転自在に支持されている。また、リール本体１の後部には、ハンドル２及びモータ１２とスプール１０との駆動伝達をオンオフするクラッチ（図示せず）の操作部材１１が配置されている。このクラッチをオンすると、仕掛けの自重による糸繰り出し中に、糸繰り出し動作を停止できる。
【００２０】
また、リール本体１の内部には、図２に示すように、スプール１０に連動して動作するレベルワインド機構１３やハンドル２の回転をスプール１０に伝達する伝達機構（図示せず）等が設けられている。レベルワインド機構１３は、スプール１０と連動して釣り糸をスプール１０に均一に巻き取るために設けられている。リール本体１の側板７ａ，７ｂの上部に、図１及び図２に示すように、釣り糸の先に装着された仕掛けの水深を表示するカウンタケース４が固定されている。
【００２１】
＜カウンタケース構成＞
カウンタケース４は、図３から図５に示すように、リール本体１の上部に固定されたケース部材１９と、ケース部材１９の内部に固定された回路基板２０と、ケース部材１９の下面を塞ぐ蓋部材２１と、ケース部材１９の上面に配置された窓部材２２と、を備えている。
【００２２】
ケース部材１９は、リール本体１の側板７ａ，７ｂの内側面にねじ３８によりそれぞれ固定されている。ケース部材１９は、下面に下面全体が開口する例えば矩形の第１開口２４ａを有し内部に収納空間ＳＡを有する筐体部２４、筐体部２４から前方に延びる前カバー部２５と、筐体部２４の後方に配置された後カバー部２６と、を有している。筐体部２４は、上面部２４ｂと、上面部２４ｂの下面を囲むように四方に配置された壁部２４ｃと、を有している。この壁部２４ｃの下部が第１開口２４ａになっている。したがって、第１開口２４ａは、壁部２４ｃの下部全体にわたり形成されている。
【００２３】
上面部２４ｂには、図４に示すように、窓部材２２により塞がれた概ね矩形の第２開口２４ｄと、２つのスイッチＳＷ１，ＳＷ２を露出するための円形のスイッチ開口２４ｅ，２４ｆと、が形成されている。スイッチＳＷ１は、たとえば、０セット用のスイッチであり、スイッチＳＷ２は、たとえば、棚メモ等のメモリ用のスイッチである。スイッチ開口２４ｅ，２４ｆは、第２開口２４ｄの後方に左右方向に並べて配置されている。スイッチ開口２４ｅ，２４ｆの内周面の下部には、上部より大径のスイッチ壁部２４ｇが筒状に形成されている。第１開口２４ａには、蓋部材２１を位置決めして配置するための段差部２４ｈが形成されている。上面部２４ｂには、窓部材２２を位置決めして載置するために載置部２４ｉが上面より僅かに凹んで形成されている。この載置部２４ｉに第２開口２４ｄとスイッチ開口２４ｅ，２４ｆが形成されている。したがって、載置部２４ｉは、第２開口２４ｄの内周側の周囲の全体にわたって形成されている。
【００２４】
図５左側の壁部２４ｃには、電源供給用のコネクタと、モータ１２と、図示しないスプール回転センサと、に接続される、たとえば８本の配線を取り出す第１配線取出孔２４ｊが形成されている。また、右側の壁面には、調整レバー５に接続される、たとえば３本の配線を取り出す第２配線取出孔２４ｋが形成されている。これらの第１配線取出孔２４ｊ及び第２配線取出孔２４ｋは、配線取り出し後に、たとえばシリコン樹脂製の充填材により封止される。スプール回転センサは、カウンタケース４の外部に配置されている。
【００２５】
スイッチＳＷ１は、硬質の合成樹脂製のスイッチ操作部材４０と、スイッチ操作部材４０により押圧されるタクトスイッチ４１と、を有している。スイッチ操作部材４０は、操作部４２と、操作部４２に装着された弾性体製のばね部４３と、を有している。操作部４２は、僅かに先細りの円柱状の部材であり、スイッチＳＷ１の操作を行うためにスイッチ開口２４ｅから先端が突出して設けられている。操作部４２の外側面はメッキ処理されている。ばね部４３は、操作部４２に装着される装着部４３ａと、装着部４３ａと一体形成され装着部４３ａからスイッチ開口２４ｅの大径側の内周面に拡がる拡大部４３ｂと、拡大部４３ｂの縁部から筒状に延びスイッチ壁部２４ｇに接触するシール部４３ｃと、を有している。装着部４３ａは、中心部から下方に延びてタクトスイッチ４１を押圧可能な押圧部４３ｄを有している。押圧部４３ｄの下方に、回路基板２０の上面に搭載されたタクトスイッチ４１が僅かな隙間をあけて配置されている。
【００２６】
拡大部４３ｂは、装着部４３ａの周囲からスイッチ壁部２４ｇに接触する位置まで薄い厚みでやや傾斜して板状に延びている。拡大部４３ｂは、装着部４３ａからスイッチ壁部２４ｇまでの隙間をカバーするとともに、操作部４２を回路基板２０から離反する方向に付勢するために設けられている。このような拡大部４３ｂの作用により、操作部４２を押圧操作後に手を離すと操作部４２が回路基板２０から離反する方向に自動的に戻る。シール部４３ｃは、スイッチ壁部２４ｇに沿って接触するように筒状に形成されている。このシール部４３ｃの内側に密着部材４４が密着している。
【００２７】
密着部材４４は、たとえばステンレス合金などの金属製の筒状の部材であり、シール部４３ｃに沿った形状である。この密着部材４４がシール部４３ｃをスイッチ壁部２４ｇ側に押圧してシール部４３ｃをスイッチ壁部２４ｇに密着させている。これにより、スイッチ操作を行うために、ケース部材１９にスイッチ開口２４ｅを設けても、ケース部材１９の内部に上面側から液体が浸入しにくくなる。しかも、シール部４３ｃを密着部材４４によりスイッチ壁部２４ｇに押圧してシールしているので、回路基板２０を装着するためのねじの本数を少なくすることができ、回路基板２０の装着時に回路基板２０が変形しにくくなる。
【００２８】
操作部４２に用いる合成樹脂としてはアクリル樹脂等のメッキが付着しやすく剥がれにくい合成樹脂が好ましい。ばね部４３に用いる合成樹脂弾性体としては、スチレン‐ブタジエン‐ゴム（ＳＢＲ）、アクリロニトリル‐ブタジエン‐ゴム（ＮＢＲ）、ブタジエン‐ゴム、イソプレン‐ゴム、クロロプレン‐ゴム、シリコン‐ゴム、ウレタン‐ゴムなどの絶縁性を有する合成ゴムが好ましい。
【００２９】
このように構成されたスイッチＳＷ１，ＳＷ２では、スイッチ操作部材４０が硬質の操作部４２と弾性体製のばね部４３とで構成されている。このため、スイッチ操作部材４０の意匠がばね部４３の材質に限定されなくなり、操作部４２の意匠を自由に決定できる。たとえば、この実施形態では、弾性体には施すことができないメッキ処理を操作部４２に施している。また、塗料や操作部４２の素材の色により任意の色を表現することもできる。
【００３０】
回路基板２０は、概ね矩形の合成樹脂製の基板であり、ＬＣＤホルダ２７に、たとえば２本のねじ部材３８により固定されている。回路基板２０は、蓋部材２１に載置された基板支持部材２９によって蓋部材２１と間隔を隔てて配置されている。回路基板２０には、表示装置の一例である液晶表示装置（ＬＣＤ）３０と、モータ１２を駆動するための電界効果トランジスタ（ＦＥＴ）からなる２つの駆動素子３１と、が接続されている。また、回路基板２０には、モータ１２及び液晶表示装置を制御するマイクロコンピュータからなる制御素子３２と、液晶表示装置３０のバックライトとして機能する、たとえばＬＥＤからなる発光素子３３と、電池３４と、電池の逆接防止用のダイオード３５と、報知用のブザー３６と、抵抗やコンデンサなどのその他の電気部品と、スプール回転センサと、が接続されている。電池３４は、たとえば、ボタン電池であり、電気回路の電源として使用される。これにより、モータ１２を使用しない場合には、手巻きのカウンタリールとして電動リールが機能する。ここで、回路基板２０の上面には、制御素子３２と、タクトスイッチ４１と、発光素子３３と、抵抗及びコンデンサ等のその他の電気部品と、が配置されている。回路基板２０の下面には、駆動素子３１と、電池３４と、ダイオード３５と、ブザー３６と、その他の電気部品と、が配置されている。回路基板２０は、ねじ部材３８によりＬＣＤホルダ２７に固定されている。
【００３１】
基板支持部材２９は、蓋部材２１に載置されている。基板支持部材２９は、回路基板２０を蓋部材２１と離反させて配置するための複数の突起部２９ａを有している。また、基板支持部材２９には、後述する蓋部材２１の第１湾曲部２１ａ及び第２湾曲部２１ｂを通過させるための長円形開口２９ｃ及び円形開口２９ｄが形成されている。
【００３２】
ここで、回路基板２０は、基板支持部材２９に載置され、僅かに移動可能に支持されている。また、基板支持部材２９は、蓋部材２１に載置されているだけであり、蓋部材２１にたとえば両面テープやねじ部材などの固定部材により固定されていない。さらに、回路基板２０はＬＣＤホルダ２７に固定されているため、回路基板２０，ＬＣＤホルダ２７及び液晶表示装置３０は一体化されている。この一体化された部分を、蓋部材２１を装着したときに傾かないようにするために基板支持部材２９が設けられている。すなわち、基板支持部材２９は、回路基板２０と蓋部材２１との隙間を埋めるスペーサとして機能している。なお、基板支持部材２９を蓋部材２１に両面テープ等により固定してもよい。
【００３３】
液晶表示装置３０は、フレキシブル基板４６により回路基板２０に接続されている。液晶表示装置３０は、第２開口２４ｄに臨むように配置されている。液晶表示装置３０は、導光板２８に載置され、両面テープ４８により導光板２８に固定されている。液晶表示装置３０とケース部材１９の上面部２４ｂの下面との間には、クッション部材４７が配置されている。導光板２８は、ＬＣＤホルダ２７に載置され、両面テープ４９により後述する載置面２７ａに固定されている。ＬＣＤホルダ２７は、導光板２８が載置される平板状の載置面２７ａと、載置面２７ａの下面に下方に突出して形成された複数（例えば４つ）の脚部２７ｂと、導光板２８の後述する反射部２８ａがはめ込まれるスリット部２７ｃと、を有している。これにより、ＬＣＤホルダ２７に導光板２８と液晶表示装置３０とが固定される。
【００３４】
従来の回路基板では、液晶表示装置用の回路が搭載された回路基板と制御素子用の回路が搭載された回路基板との２枚の基板を用いている。しかし、本実施形態では、カウンタケース４の小型化を図るため、１枚の回路基板２０に液晶表示装置３０の回路と、駆動素子３１を含む制御素子３２の回路とを搭載している。このため、液晶表示装置３０を導光板２８と共にＬＣＤホルダ２７に載置し、液晶表示装置３０と回路基板２０の上面との間に隙間を開けることができる。これにより、隙間に制御素子３２等の大きな電気素子を配置でき、回路基板２０の上面を効率良く使用できるようになる。
【００３５】
導光板２８は、発光素子３３からの光を効率よく液晶表示装置の下面に導くための板状の部材である。導光板２８は、透明な光学素子であり、光を効率よく液晶表示装置３０の下面に導いて拡散させる。発光素子３３は、回路基板２０の上面に搭載されているため、液晶表示装置３０から離れて配置されている。このため、この実施形態では、導光板２８は、扁平Ｌ字形に形成されている。導光板２８は、発光素子３３の上方に対向して配置された反射部２８ａと、反射部２８ａから折れ曲がって液晶表示装置３０の下面に配置される照射部２８ｂと、を有している。反射部２８ａは、傾斜した面取り形状の反射面２８ｃを、両側部を除く中央部分に有している。反射面２８ｃには、反射シート２８ｄが貼り付けられている。この反射シート２８ｄにより、図５に一点鎖線の矢印で示すように、発光素子３３から照射された光を９０度屈折させて照射部２８ｂに導く。照射部２８ｂでは、反射した光を液晶表示装置３０の背面側に拡散して照射する。
【００３６】
蓋部材２１は、たとえば、アルミニウム合金製の薄板状の部材をプレス加工により成形して作成された部材である。蓋部材２１は、ケース部材１９の下面に形成された第１開口２４ａの段差部２４ｈに装着され、第１開口２４ａを閉塞する部材である。蓋部材２１は、段差部２４ｈに塗布された接着機能を有するシール部材５２によりケース部材１９に接着される。また、蓋部材２１は、２本のねじ部材３９によりケース部材１９に固定されている。蓋部材２１は、それぞれ上方に曲げられた第１湾曲部２１ａと第２湾曲部２１ｂと、を有している。第１湾曲部２１ａには、回路基板２０の下面に搭載された駆動素子３１が近接して配置されている。第２湾曲部２１ｂには、回路基板２０の下面に搭載された逆接防止用のダイオード３５が近接して配置されている。
【００３７】
第１湾曲部２１ａは、回路基板２０に接近する方向に長円形に凹んで形成され断面が等脚台形形状である。第２湾曲部２１ｂは、回路基板２０に接近する方向に円形に凹んで形成され、断面が二等辺三角形形状である。これらの第１湾曲部２１ａ及び第２湾曲部２１ｂは、プレス成形により型により形成される。第１湾曲部２１ａは、駆動素子３１に接近させるために第２湾曲部２１ｂより大きく凹んでいる。また、蓋部材２１には、ブザー３６が配置される窪み２１ｃが回路基板２０から離れる方向に僅かに凹んで形成されている。この窪み２１ｃはプレス成形により形成される。ブザー３６の上面は、回路基板２０が支持された基板支持部材２９の下面にリング状の両面テープ５０により固定されている。ブザー３６の下面には、蓋部材２１の窪み２１ｃに接触するリング状のブザークッション５１が貼り付けられている。駆動素子３１及びダイオード３５には、放熱性能を高めるために放熱シート３７ａ，３７ｂがそれぞれ貼り付けられている。
【００３８】
窓部材２２は、載置部２４ｉに配置され、第２開口２４ｄ及び液晶表示装置３０の上方を覆う部材である。窓部材２２は、透明な合成樹脂製の角が丸められた概ね矩形形状である。窓部材２２は、上面が僅かに湾曲して形成されている。また、後方側が前方側より厚みが厚くなるように形成されている。窓部材２２は、上面部２４ｂに凹んで形成された載置部２４ｉに載置されている。窓部材２２は、載置部２４ｉに貼り付けられた防水機能を有し窓部材２２と略同外形の両面テープ４５よりケース部材１９に固定されている。この実施形態では、窓部材２２は、第２開口２４ｄに対向する部分以外は着色されている。また、窓部材２２及び両面テープ４５には、スイッチＳＷ１，ＳＷ２の操作部４２が貫通可能な通過孔２２ａ，４５ａがそれぞれ形成されている。両面テープ４５には第２開口２４ｄに対向する部分に矩形の開口４５ｂが形成されている。
【００３９】
このような構成のカウンタケース４において、スイッチＳＷ１のスイッチ操作部材４０をケース部材１９に装着する際には、まず、スイッチ操作部材４０をケース部材１９の内側からスイッチ開口２４ｅに装着する。そして、シール部４３ｃをスイッチ壁部２４ｇに段差に当接するまで押し込む。この状態で、密着部材４４を各シール部４３ｃの内側面に装着することで、シール部４３ｃがスイッチ壁部２４ｇに密着してスイッチ開口２４ｅをシールしている。
【００４０】
このような構成の電動リールでは、釣り糸を繰り出す時には、操作部材１１を下方に押圧操作することによりクラッチをオフし、スプール１０を自由に回転させ、釣り糸に装着された重りの自重により釣り糸を繰り出す。釣り糸が繰り出されるとスプール１０が回転し、図示しないスプールの回転センサの検出パルスにより液晶表示装置３０の水深表示が繰り出し量に応じて変化する。仕掛けが棚に到達すると、ハンドル２を糸巻取方向に回して図示しないクラッチ戻し機構によりクラッチをオンして釣り糸の繰り出しを停止する。
【００４１】
魚の当たりがあると、調整レバー５を操作し釣り糸を巻き上げる。調整レバー５を図１時計回りに揺動させると、その揺動角度に応じてスプール１０の回転速度又は釣り糸に作用する張力の最大値を段階的に設定できる。
【００４２】
この結果、モータ１２は、調整レバー５の揺動角度に応じて回転する。この巻き上げ時に作用する負荷に応じて駆動素子３１は発熱するが、スプール１０の回転により発生する空気の流れがケース部材１９の蓋部材２１に当たり蓋部材２１を冷却する。この結果、蓋部材２１の第１湾曲部２１ａに近接して配置された駆動素子３１及び第２湾曲部２１ｂに近接して配置されたダイオード３５が容易かつ確実に冷却される。
【００４３】
また、スイッチ操作部材４０の筒状のシール部４３ｃを密着部材４４で押圧してスイッチ開口２４ｅからの液体の浸入を防止しているので、回路基板２０とケース部材１９とでシール部を挟んでシールする従来技術に比べて、回路基板２０の変形を抑えてカウンタケース４を確実にシールできる。
【００４４】
＜特徴＞
（Ａ）カウンタケース４は、リール本体１に固定されたモータ１２によりスプール１０を回転駆動する電動リールのカウンタケース４である。カウンタケース４は、ケース部材１９と、回路基板２０と、蓋部材２１と、窓部材２２と、を備えている。ケース部材１９は、内部に設けられた収納空間ＳＡと、下面に形成された第１開口２４ａと、上面に形成された表示用の第２開口２４ｄと、を有し、リール本体１に固定可能な部材である。回路基板２０は、ケース部材１９の内部に配置されモータ１２を駆動する駆動素子３１、第２開口２４ｄに臨む液晶表示装置３０及びそれらを制御する制御素子３２が配置された基板である。蓋部材２１は、ケース部材１９の第１開口２４ａを閉塞しかつ上方に曲がる第１湾曲部２１ａ及び第２湾曲部２１ｂを有し、第１湾曲部２１ａに駆動素子３１が近接して配置された金属板製の部材である。窓部材２２は、第２開口２４ｄに配置され液晶表示装置３０の上方を覆う透明の部材である。
【００４５】
このカウンタケース４では、ケース部材１９の下面に開口する第１開口２４ａを塞ぐ薄板状の蓋部材２１が放熱部材の機能を果たすとともに、蓋部材２１に上方に曲がる第１湾曲部２１ａ及び第２湾曲部２１ｂを設けて蓋部材の表面積を大きくしている。そして、その湾曲部に近接して駆動素子を配置して熱を伝達しやすくしている。このため、放熱機能を果たす部分の表面積が大きくなるとともに、第１湾曲部２１ａ及び第２湾曲部２１ｂによりさらに表面積が大きくなる。また蓋部材が薄板状であるので熱が滞留しにくい。
【００４６】
（Ｂ）カウンタケース４において、第１開口２４ａの周囲に塗布された接着剤により蓋部材２１はケース部材１９に固定される。この場合には、金属製の蓋部材２１を接着剤により固定しているので、ケース部材１９の防水と蓋部材２１の固定とを容易に実施できる。
【００４７】
（Ｃ）カウンタケース４において、第２開口２４ｄの周囲に付着された両面テープ４５により窓部材２２はケース部材１９に固定されている。この場合には、両面テープ４５により窓部材２２をケース部材１９に固定しているので、外部から見える窓部材２２の意匠を損なうことなく窓部材２２を防水しつつ固定することができる。
【００４８】
＜他の実施形態＞
以上、本発明の一実施形態について説明したが、本発明は上記実施形態に限定されるものではなく、発明の要旨を逸脱しない範囲で種々の変更が可能である。
【００４９】
（ａ）前記実施形態では、液晶表示装置３０を架台部に載置したが、液晶表示装置３０用の回路基板とモータ制御用の回路基板とに分けてもよい。また、液晶表示装置３０及びモータ制御用の回路基板と、駆動素子３１を含むモータ駆動用の回路基板とに分けてもよい。
【００５０】
（ｂ）前記実施形態では、湾曲部は円形又は長円形に凹んで形成したが、本発明の湾曲部はこれに限定されない。たとえば波板状に蓋部材を湾曲させて湾曲部を形成してもよい。
【００５１】
（ｃ）湾曲部の数は２つに限定されず少なくとも一つあればよい。湾曲部の数は、使用する電気素子の数やそれらの発熱量及び収納空間の広さにより適宜に設定すればよい。
【００５２】
（ｄ）前記実施形態では、表示装置として液晶表示装置を例示したが、本発明はこれに限定されない。たとえば、表示装置として有機ＥＬＤ等の発光する表示装置を用いてもよい。
【符号の説明】
【００５３】
１    リール本体
４    カウンタケース
１０    スプール
１２    モータ
１９    ケース部材
２０    回路基板
２１    蓋部材
２１ａ  第１湾曲部
２１ｂ  第２湾曲部
２２    窓部材
２４ａ  第１開口
２４ｄ  第２開口
３０    液晶表示装置
３１    駆動素子
３２    制御素子
４５    両面テープ
ＳＡ    収納空間
【図１】
2010263837.tif 000003
【図２】
2010263837.tif 000004
【図３】
2010263837.tif 000005
【図４】
2010263837.tif 000006
【図５】
2010263837.tif 000007